(57)【特許請求の範囲】
【請求項１】
サービスを利用するサービス利用装置と接続するための第１の接続部と、
前記サービスを利用するために必要な利用必須情報として、第１の利用必須情報を記憶する記憶部と、
前記第１の利用必須情報とは異なる第２の利用必須情報が記憶された加入者カードが設けられた外部装置と無線接続するための第２の接続部と、
前記外部装置と前記第２の接続部との無線接続が確立されていない場合、前記第１の利用必須情報を前記サービス利用装置に通知し、前記外部装置と前記第２の接続部との無線接続が確立された場合、前記第２の利用必須情報を前記サービス利用装置に通知する制御部と、
を備え、
前記制御部は、
前記外部装置と前記第２の接続部との無線接続が確立されていない状態において、前記サービス利用装置から送信される情報取得要求を受け取った場合、前記記憶部に記憶されている前記第１の利用必須情報を前記サービス利用装置に通知し、
前記外部装置と前記第２の接続部との無線接続が確立された場合、前記サービス利用装置の記憶部に記憶されている前記第１の利用必須情報を消去するためのリセット要求を前記サービス利用装置に送信し、
前記外部装置と前記第２の接続部との無線接続が確立されている状態において前記サービス利用装置から送信される前記情報取得要求を受け取った場合、前記外部装置からの前記第２の利用必須情報を前記サービス利用装置に通知する
ことを特徴とする加入者カード代替物。
【請求項２】
サービスを利用するサービス利用装置と接続するための第１の接続部と、
前記サービスを利用するために必要な利用必須情報として、第１の利用必須情報を記憶する記憶部と、
前記第１の利用必須情報とは異なる第２の利用必須情報が記憶された加入者カードが設けられた外部装置と無線接続するための第２の接続部と、
前記外部装置と前記第２の接続部との無線接続が確立されていない場合、前記第１の利用必須情報を前記サービス利用装置に通知し、前記外部装置と前記第２の接続部との無線接続が確立された場合、前記第２の利用必須情報を前記サービス利用装置に通知する制御部と、
を備え、
前記制御部は、
前記外部装置と前記第２の接続部との無線接続が確立されていない状態において前記サービス利用装置から送信される情報取得要求を受け取った場合、前記記憶部に記憶されている前記第１の利用必須情報を前記サービス利用装置に通知し、
前記外部装置と前記第２の接続部との無線接続が確立されたときに無線接続実行通知を前記サービス利用装置に送信し、
前記外部装置と前記第２の接続部との無線接続が確立されている状態において前記サービス利用装置から送信される前記情報取得要求を受け取った場合、前記外部装置からの前記第２の利用必須情報を前記サービス利用装置に通知することを特徴とする加入者カード代替物。
【請求項３】
前記加入者カードと同一形状であることを特徴とする請求項１又は２に記載の加入者カード代替物。
【請求項４】
サービスを利用するために必要な情報である第１の利用必須情報を記憶し、かつ、前記第１の利用必須情報とは異なる第２の利用必須情報が記憶された加入者カードが設けられた外部装置と無線接続可能な加入者カード代替物と接続するための第１の接続部と、
前記サービスを提供するネットワークと接続するための第２の接続部と、
前記外部装置と前記加入者カード代替物との無線接続が確立されていない場合、前記第１の利用必須情報を使用した前記サービスを利用し、前記外部装置と前記加入者カード代替物との無線接続が確立された場合、前記第２の利用必須情報を使用した前記サービスを利用可能とする制御部と、
表示部と、
を備え、
前記制御部は、
前記外部装置と前記加入者カード代替物との無線接続が確立されたときに前記加入者カード代替物から通知される無線接続実行通知を受け取った場合、前記第１の利用必須情報と前記第２の利用必須情報との一方をユーザに選択させるための画面を前記表示部に表示し、
前記第２の利用必須情報が選択された場合、前記第２の利用必須情報を前記加入者カード代替物より取得し、
前記第１の利用必須情報及び前記第２の利用必須情報のうちの選択された利用必須情報を使用した前記サービスを利用することを特徴とするサービス利用装置。
【請求項５】
記憶部を更に備え、
前記制御部は、
前記外部装置と前記加入者カード代替物との無線接続が確立されていない状態において前記加入者カード代替物から通知される前記第１の利用必須情報を前記記憶部に記憶し、前記記憶部に記憶されている前記第１の利用必須情報を使用した前記サービスを利用し、
前記選択された利用必須情報が前記第２の利用必須情報である場合、前記記憶部に記憶されている前記第１の利用必須情報を消去すると共に、前記第１の利用必須情報を使用した前記サービスの利用を終了し、
前記外部装置と前記加入者カード代替物との無線接続が確立された状態において前記加入者カード代替物から通知される前記第２の利用必須情報を前記記憶部に記憶し、前記記憶部に記憶されている前記第２の利用必須情報を使用した前記サービスを利用することを特徴とする請求項４に記載のサービス利用装置。
【請求項６】
第１の利用必須情報、または、前記第１の利用必須情報とは異なる第２の利用必須情報を使用したサービスを利用するサービス利用装置と、
前記第２の利用必須情報が記憶された加入者カードと、
前記加入者カードが設けられた外部装置と、
加入者カード代替物と、
を備え、
前記加入者カード代替物は、
前記サービス利用装置と接続するための第１の接続部と、
前記第１の利用必須情報を記憶する記憶部と、
前記外部装置と無線接続するための第２の接続部と、
前記外部装置と前記第２の接続部との無線接続が確立されていな場合、前記第１の利用必須情報を前記サービス利用装置に通知し、前記外部装置と前記第２の接続部との無線接続が確立された場合、前記第２の利用必須情報を前記サービス利用装置に通知する制御部と、
を備え、
前記制御部は、
前記外部装置と前記第２の接続部との無線接続が確立されていない状態において、前記サービス利用装置から送信される情報取得要求を受け取った場合、前記記憶部に記憶されている前記第１の利用必須情報を前記サービス利用装置に通知し、
前記外部装置と前記第２の接続部との無線接続が確立された場合、前記サービス利用装置の記憶部に記憶されている前記第１の利用必須情報を消去するためのリセット要求を前記サービス利用装置に送信し、
前記外部装置と前記第２の接続部との無線接続が確立されている状態において前記サービス利用装置から送信される前記情報取得要求を受け取った場合、前記外部装置からの前記第２の利用必須情報を前記サービス利用装置に通知する
ことを特徴とするサービス利用システム。
【請求項７】
サービスを利用するサービス利用装置と接続するための第１の接続部と、前記サービスを利用するために必要な利用必須情報として、第１の利用必須情報を記憶する記憶部と、前記第１の利用必須情報とは異なる第２の利用必須情報が記憶された加入者カードが設けられた外部装置と無線接続するための第２の接続部と、を備えた加入者カード代替物を用いる方法であって、
前記外部装置と前記第２の接続部との無線接続が確立されていな場合、前記第１の利用必須情報を前記サービス利用装置に通知するステップと、
前記外部装置と前記第２の接続部との無線接続が確立された場合、前記第２の利用必須情報を前記サービス利用装置に通知するステップと、
前記外部装置と前記第２の接続部との無線接続が確立されていない状態において、前記サービス利用装置から送信される情報取得要求を受け取った場合、前記記憶部に記憶されている前記第１の利用必須情報を前記サービス利用装置に通知するステップと、
前記外部装置と前記第２の接続部との無線接続が確立された場合、前記サービス利用装置の記憶部に記憶されている前記第１の利用必須情報を消去するためのリセット要求を前記サービス利用装置に送信するステップと、
前記外部装置と前記第２の接続部との無線接続が確立されている状態において前記サービス利用装置から送信される前記情報取得要求を受け取った場合、前記外部装置からの前記第２の利用必須情報を前記サービス利用装置に通知するステップと、
を含むことを特徴とする加入者カード代替方法。
【発明の詳細な説明】
【技術分野】
【０００１】
本発明は、サービスの加入者に提供され、そのサービスを利用するために必要な情報が記憶された加入者カードを使用するサービス利用システムなどに関する。
【背景技術】
【０００２】
携帯電話サービスを利用するための携帯電話端末（以下、携帯端末）が普及している。携帯端末には、ＳＩＭ（Subscriber Identity Module）カードと呼ばれるＩＣカードが使用される。ＳＩＭカードは、携帯電話サービスの加入者に提供される。ＳＩＭカードにはＳＩＭ情報が記憶されている。ＳＩＭ情報は、携帯電話サービスを利用するために必要な情報（利用者必須情報）である。ＳＩＭ情報としては、ＳＩＭカードを識別するための識別番号（ＩＭＳＩ（International Mobile Subscriber Identity））、ユーザの識別番号（ＰＩＮ（Personal Identification Number）コード）、位置情報、認証情報、パスワードなどが挙げられる。【０００３】
ＳＩＭカードは、通信規格などが同一である任意の携帯端末に対して装着が可能であるので、ユーザは、状況に応じて、ＳＩＭカードを装着する携帯端末を変更して使用することができる。しかしながら、ＳＩＭカードは、１回線の契約で１枚のみ発行されるものである。このため、携帯端末の買い替え、譲渡などにより複数台の携帯端末を有しているユーザであっても、通信に使用できる携帯端末はＳＩＭカードを装着した１台のみである。【０００４】
ＳＩＭカードは、挿抜する前に携帯端末の電源をオフにする必要があるため、大部分の携帯端末では、携帯端末の筐体内の電池を取り外さないとＳＩＭカードを挿抜できないような構造となっている。このため、ＳＩＭカードの挿抜が手間のかかる作業となっている。また、携帯端末の上記構造により、ＳＩＭカードは、頻繁に挿抜することを想定したものではないため、ＳＩＭカードは、挿抜を頻繁に繰り返すと破損する可能性がある。また、ＳＩＭカードは、携帯端末に搭載するためにサイズが小さいため、挿抜時に紛失する可能性がある。【０００５】
そこで、特許文献１には、ＳＩＭカードをある装置から取り外すことなく、その装置とは別の装置で、携帯電話サービスを不都合無く利用することができる加入者カードの代替物が記載されている。特許文献１に記載された加入者カードの代替物（子機）は、加入者カード（ＳＩＭカード）が設けられた外部装置（親機）と無線通信を行う第１通信部（近距離通信部）と、親機のＳＩＭカードに記憶された利用者必須情報（ＳＩＭ情報）を記憶する記憶部と、携帯電話サービスを利用するためのサービス利用装置（携帯端末）と通信を行う第２通信部（接続部）とを備えている。子機は、ＳＩＭカードの代替物として機能するため、ＳＩＭカードと同一形状となっている。
【先行技術文献】
【特許文献】
【０００６】
【特許文献１】特許第５１０１４３４号公報
【発明の概要】
【発明が解決しようとする課題】
【０００７】
ユーザは、１つの携帯端末で複数のＳＩＭカードを切り替えて使用したい場合がある。複数のＳＩＭカードとしては、例えば、プライベート用として個人契約したＳＩＭカードと、業務用として会社契約したＳＩＭカードとの２つのＳＩＭカードが考えられる。この２つのＳＩＭカードを、同一の携帯端末で使い分けたいという場合である。このような場合、通常はＳＩＭカードの抜き差しが行われるが、上述のように、ＳＩＭカードの抜き差しは破損や紛失の恐れがある。【０００８】
これに対して、特許文献１に記載の技術を用いることにより、ＳＩＭカードの抜き差しを行う必要がなくなる。例えば、同一の携帯端末で２つのＳＩＭカードのＳＩＭ情報を切り替えて使用したい場合、プライベートにおいては、子機は、個人契約のＳＩＭカードが設けられた親機との無線通信の接続を確立することにより、親機から個人契約のＳＩＭカードのＳＩＭ情報を受け取り、携帯端末は、子機との通信の接続を確立することにより、個人契約のＳＩＭカードのＳＩＭ情報を使用した携帯電話サービスを利用することができる。業務中においては、子機は、会社契約のＳＩＭカードが設けられた親機との無線通信の接続を確立することにより、親機から会社契約のＳＩＭカードのＳＩＭ情報を受け取り、携帯端末は、子機との通信の接続を確立することにより、会社契約のＳＩＭカードのＳＩＭ情報を使用した携帯電話サービスを利用することができる。【０００９】
しかし、ユーザが、特許文献１に記載の技術に基づいて、同一の携帯端末で２つのＳＩＭ情報を切り替えて使用する場合、携帯端末とは別に親機を常に携帯する必要がある。例えば、ユーザが、業務中においては、会社契約のＳＩＭカードのＳＩＭ情報を使用しているが、業務の休憩時間において、個人契約のＳＩＭカードのＳＩＭ情報を使用したい場合、個人契約のＳＩＭカードが設けられた親機を携帯する必要がある。この場合、ユーザは、携帯端末とは別に親機を常に携帯する必要があるため、面倒である。【００１０】
本発明は、上記の点に鑑みてなされたものであり、ユーザが、サービス利用装置（携帯端末）とは別に外部装置（親機）を常に携帯することなく、同一のサービス利用装置（携帯端末）で、サービス（携帯電話サービス）を利用するために必要な情報である複数の利用者必須情報（複数のＳＩＭ情報）を切り替えて使用することができるサービス利用システムなどを提供することを目的とする。
【課題を解決するための手段】
【００１１】
本発明の加入者カード代替物は、サービスを利用するサービス利用装置と接続するための第１の接続部と、前記サービスを利用するために必要な利用必須情報として、第１の利用必須情報を記憶する記憶部と、前記第１の利用必須情報とは異なる第２の利用必須情報が記憶された加入者カードが設けられた外部装置と無線接続するための第２の接続部と、前記外部装置と前記第２の接続部との無線接続が確立されていな場合、前記第１の利用必須情報を前記サービス利用装置に通知し、前記外部装置と前記第２の接続部との無線接続が確立された場合、前記第２の利用必須情報を前記サービス利用装置に通知する制御部と、を具備することを特徴とする。【００１２】
本発明のサービス利用装置は、サービスを利用するために必要な情報である第１の利用必須情報を記憶し、かつ、前記第１の利用必須情報とは異なる第２の利用必須情報が記憶された加入者カードが設けられた外部装置と無線接続可能な加入者カード代替物と接続するための第１の接続部と、前記サービスを提供するネットワークと接続するための第２の接続部と、前記外部装置と前記加入者カード代替物との無線接続が確立されていない場合、前記第１の利用必須情報を使用した前記サービスを利用し、前記外部装置と前記加入者カード代替物との無線接続が確立された場合、前記第２の利用必須情報を使用した前記サービスを利用する制御部と、表示部と、を具備し、前記制御部は、前記外部装置と前記加入者カード代替物との無線接続が確立されたときに前記加入者カード代替物から通知される無線接続実行通知を受け取った場合、前記第１の利用必須情報と前記第２の利用必須情報との一方をユーザに選択させるための画面を前記表示部に表示し、前記第１の利用必須情報及び前記第２の利用必須情報のうちの選択された利用必須情報を使用した前記サービスを利用することを特徴とする。【００１３】
本発明のサービス利用システムは、第１の利用必須情報、または、前記第１の利用必須情報とは異なる第２の利用必須情報を使用したサービスを利用するサービス利用装置と、前記第２の利用必須情報が記憶された加入者カードと、前記加入者カードが設けられた外部装置と、加入者カード代替物と、を具備し、前記加入者カード代替物は、前記サービス利用装置と接続するための第１の接続部と、前記第１の利用必須情報を記憶する記憶部と、前記外部装置と無線接続するための第２の接続部と、前記外部装置と前記第２の接続部との無線接続が確立されていない場合、前記第１の利用必須情報を前記サービス利用装置に通知し、前記外部装置と前記第２の接続部との無線接続が確立された場合、前記第２の利用必須情報を前記サービス利用装置に通知する制御部と、を具備することを特徴とする。【００１４】
本発明の加入者カード代替方法は、サービスを利用するサービス利用装置と接続するための第１の接続部と、前記サービスを利用するために必要な利用必須情報として、第１の利用必須情報を記憶する記憶部と、前記第１の利用必須情報とは異なる第２の利用必須情報が記憶された加入者カードが設けられた外部装置と無線接続するための第２の接続部と、を備えた加入者カード代替物を用いる方法であって、前記外部装置と前記第２の接続部との無線接続が確立されていな場合、前記第１の利用必須情報を前記サービス利用装置に通知するステップと、前記外部装置と前記第２の接続部との無線接続が確立された場合、前記第２の利用必須情報を前記サービス利用装置に通知するステップと、を具備することを特徴とする。
【発明の効果】
【００１５】
本発明によれば、ユーザが、サービス利用装置（携帯端末）とは別に外部装置（親機）を常に携帯することなく、同一のサービス利用装置（携帯端末）で、サービス（携帯電話サービス）を利用するために必要な情報である複数の利用者必須情報（複数のＳＩＭ情報）を切り替えて使用することができる。
【図面の簡単な説明】
【００１６】
【図１】ユーザが１つの携帯端末で１つのＳＩＭ情報を使用する場合の構成を説明するための図であり、携帯端末、ＳＩＭカードの構成を示すブロック図である。
【図２】ユーザが１つの携帯端末で１つのＳＩＭ情報を使用する場合の動作について説明するための図であり、携帯端末とＳＩＭカードとの間のシーケンスを示す図である。
【図３】ユーザが１つの携帯端末で複数のＳＩＭ情報を使用する場合の構成を説明するための図であり、第１実施形態に係るサービス利用システムの全体構成を示すブロック図である。
【図４】ユーザが１つの携帯端末で複数のＳＩＭ情報を切り替えて使用する場合について説明するための図であり、親機の構成を示すブロック図である。
【図５】ユーザが１つの携帯端末で複数のＳＩＭ情報を切り替えて使用する場合について説明するための図であり、子機の構成を示すブロック図である。
【図６】第１実施形態に係るサービス利用システムの動作として、ユーザが１つの携帯端末で複数のＳＩＭ情報を切り替えて使用する場合について説明するための図であり、携帯端末が、使用するＳＩＭ情報を、子機内のＳＩＭ情報から、親機側のＳＩＭ情報に切り替えるときのシーケンスを示す図である。
【図７】第１実施形態に係るサービス利用システムの動作として、ユーザが１つの携帯端末で複数のＳＩＭ情報を切り替えて使用する場合について説明するための図であり、携帯端末が、使用するＳＩＭ情報を、親機側のＳＩＭ情報から、子機内のＳＩＭ情報に切り替えるときのシーケンスを示す図である。
【図８】第２実施形態に係るサービス利用システムの動作として、ユーザが１つの携帯端末で複数のＳＩＭ情報を切り替えて使用する場合について説明するための図であり、子機内のＳＩＭ情報から、親機側のＳＩＭ情報に切り替えるときのシーケンス（ダイアログありの場合）を示す図である。
【図９】図８のステップＳ３０７を説明するための図である。
【図１０】図８のステップＳ３０７を説明するための図である。
【発明を実施するための形態】
【００１７】
以下、図面を参照しながら本発明の実施形態について説明する。
［第１実施形態］
一般的に、携帯電話サービスを利用する場合、携帯端末に対して、電話番号等の携帯電話サービスを利用するために必要な情報が記憶されたＳＩＭカードを装着することが一般的に行われている。第１実施形態に係るサービス利用システムでは、一般的な使用方法として、ユーザが１つの携帯端末で１つのＳＩＭ情報を使用する場合と、本実施形態の使用方法として、ユーザが１つの携帯端末で複数のＳＩＭ情報を切り替えて使用する場合とが挙げられる。
【００１８】
まず、［１．  ユーザが１つの携帯端末で１つのＳＩＭ情報を使用する場合］について説明し、次に、［２．  ユーザが１つの携帯端末で複数のＳＩＭ情報を切り替えて使用する場合］について説明する。
【００１９】
［１．  ユーザが１つの携帯端末で１つのＳＩＭ情報を使用する場合］
図１は、ユーザが１つの携帯端末１で１つのＳＩＭ情報を使用する場合の構成を説明するための図である。
【００２０】
［１．１  ユーザが１つの携帯端末で１つのＳＩＭ情報を使用する場合の構成］
図１に示すように、第１実施形態に係るサービス利用システムは、携帯端末１（サービス利用装置）と、ＳＩＭカード２（加入者カード）とを具備している。
【００２１】
［１．１．１  携帯端末１の構成］
携帯端末１は、サービス接続部１１と、カード接続部１２と、制御部１３と、記憶部１４と、操作部１５と、表示部１６とを備えている。
【００２２】
サービス接続部１１は、携帯電話サービスを提供する携帯電話ネットワークと接続するための接続部である。カード接続部１２は、ＳＩＭカード２と接続するための接続部である。
【００２３】
記憶部１４は、各種データや、コンピュータが実行可能なコンピュータプログラムを記憶する。制御部１３は、ＣＰＵ（Central Processing Unit）であり、コンピュータプログラムを読み出して実行する。制御部１３は、携帯端末１内の各機能を制御する。
【００２４】
操作部１５は、ユーザの操作を受け付ける。表示部１６は、ユーザに対して文字や画像を提示する。例えば、操作部１５がユーザの操作を受け付けた場合、制御部１３は、その操作に応じた実行結果を表示部１６に表示する。
【００２５】
［１．１．２  ＳＩＭカード２の構成］
ＳＩＭカード２は、携帯端末接続部２１と、制御部２２と、記憶部２３とを備えている。携帯端末接続部２１は、携帯端末１と接続するための接続部である。制御部２２は、ＳＩＭカード２内の各機能を制御する。記憶部２３は、各種データを記憶している。
【００２６】
携帯端末１とＳＩＭカード２とは有線接続によって接続されている。一般的には、携帯端末１にＳＩＭカード２を挿入するスロットを設け、スロット内で携帯端末１の端子とＳＩＭカード２の端子を接触させる形式が用いられる。
【００２７】
携帯端末１のカード接続部１２には、電力用端子、データ通信用端子、リセット信号用端子など、複数の端子がある。ＳＩＭカード２の携帯端末接続部２１にも、同様に、電力用端子、データ通信用端子、リセット信号用端子などがあり、ＳＩＭカード２を携帯端末１のスロットに挿入することで、同一の端子同士が接触するよう構成されている。
【００２８】
ＳＩＭカード２の記憶部２３には、ＳＩＭ情報が記憶されている。ＳＩＭ情報は、携帯電話サービスを利用するために必要な情報（利用者必須情報）である。ＳＩＭ情報としては、ＳＩＭカードを識別するための識別番号（ＩＭＳＩ（International Mobile Subscriber Identity））、ユーザの識別番号（ＰＩＮコード）、位置情報、認証情報、パスワードなどが挙げられる。
【００２９】
［１．２  ユーザが１つの携帯端末で１つのＳＩＭ情報を使用する場合の動作］
図２は、携帯端末１とＳＩＭカード２との間のシーケンスを示す図である。
【００３０】
携帯端末１の制御部１３は、カード接続部１２を介して、ＳＩＭカード２に対して電源の供給を開始する（ステップＳ１０１）。
【００３１】
ＳＩＭカード２の制御部２２は、携帯端末１から携帯端末接続部２１を介して電源供給を受ける。このとき、ＳＩＭカード２の制御部２２は、携帯端末１に対して、通信パラメータの通知を行う（ステップＳ１０２）。ステップＳ１０２において、通信パラメータの通知として、ＳＩＭカード２から携帯端末１への一方向の通信を１回行っているが、双方向の通信を行ってもよいし、複数回の通信を行ってもよい。
【００３２】
その後、携帯端末１の制御部１３は、カード接続部１２を介してＳＩＭカード２にＳＩＭ情報取得要求を行う（ステップＳ１０３）。
【００３３】
ＳＩＭカード２の制御部２２は、携帯端末１から携帯端末接続部２１を介してＳＩＭ情報取得要求を受ける。このとき、ＳＩＭカード２の制御部２２は、ＳＩＭ情報取得要求に応じて、記憶部２３からＳＩＭ情報（例えば、ＩＭＳＩ、ＰＩＮコード、位置情報、認証情報、パスワード）を取り出し、携帯端末１に対してＳＩＭ情報を通知する（ステップＳ１０４）。
【００３４】
ステップＳ１０４において、携帯端末１の制御部１３は、カード接続部１２を介してＳＩＭ情報を受け取り、そのＳＩＭ情報を記憶部１４に記憶する。また、ステップＳ１０３〜Ｓ１０４は必要な回数だけ繰り返される。携帯端末１の制御部１３は、携帯電話サービスを利用するために必要な情報として、ＳＩＭ情報を取得した後、サービス接続部１１を介して、携帯電話サービスの利用を開始する（ステップＳ１０５）。ステップＳ１０５において、携帯端末１の制御部１３は、携帯電話サービスを利用開始した後に、追加のＳＩＭ情報（例えば、位置情報）が必要となった場合には、再度、ＳＩＭ情報取得要求を行ってもよい。
【００３５】
［２．  ユーザが１つの携帯端末で複数のＳＩＭ情報を切り替えて使用する場合］
第１実施形態に係るサービス利用システムでは、ユーザが１つの携帯端末１で複数のＳＩＭ情報を切り替えて使用する場合、以下のような手順となる。
・初期状態では、携帯端末１は、子機内のＳＩＭ情報を使用して携帯電話サービスを利用する。
・子機と親機との無線接続が確立された状態では、携帯端末１は、使用するＳＩＭ情報を、子機内のＳＩＭ情報から、親機側のＳＩＭ情報（ＳＩＭカード２内のＳＩＭカード）に切り替える。
・子機と親機との無線接続が切断された状態では、携帯端末１は、使用するＳＩＭ情報を、親機側のＳＩＭ情報（ＳＩＭカード２内のＳＩＭカード）から、子機内のＳＩＭ情報に切り替える。
【００３６】
［２．１  ユーザが１つの携帯端末で複数のＳＩＭ情報を切り替えて使用する場合の構成］
図３は、ユーザが１つの携帯端末で複数のＳＩＭ情報を使用する場合の構成を説明するための図であり、第１実施形態に係るサービス利用システムの全体構成を示すブロック図である。第１実施形態に係るサービス利用システムは、携帯端末１、ＳＩＭカード２に加えて、更に、親機３（外部装置）と、子機４（加入者カード代替物）とを具備している。
【００３７】
親機３は、携帯端末１と同様に、ＳＩＭカード２を装着可能となっている。子機４は、ＳＩＭカード２と同一の形状をしていて、携帯端末１は、ＳＩＭカード２の代わりに子機４を装着できるようになっている。
【００３８】
親機３と子機４とは無線による通信が可能となっている。親機３と子機４の間の無線通信には、ブルートゥース（Bluetooth）（登録商標）、ジグビー（ZigBee）、Wi-Fi等、一般的な無線通信技術が使用される。
【００３９】
［２．１．１  親機３の構成］
図４は、親機３の構成を示すブロック図である。親機３は、無線接続部３１と、カード接続部３２と、制御部３３と、記憶部３４と、操作部３５と、表示部３６とを備えている。
【００４０】
無線接続部３１は、子機４との間で無線通信による接続を確立するための接続部であり、その接続を使用して通信を行う。カード接続部３２は、ＳＩＭカード２との間で有線接続するための接続部であり、その接続を使用して通信を行う。
【００４１】
記憶部３４は、各種データや、コンピュータが実行可能なコンピュータプログラムを記憶する。制御部３３は、ＣＰＵであり、コンピュータプログラムを読み出して実行する。制御部３３は、親機３内の各機能を制御する。
【００４２】
操作部３５は、ユーザの操作を受け付ける。表示部３６は、ユーザに対して文字や画像を提示する。例えば、操作部３５がユーザの操作を受け付けた場合、制御部３３は、その操作に応じた実行結果を表示部３６に表示する。
【００４３】
カード接続部３２は、携帯端末１のカード接続部１２と同一の形状であり、有線接続による接続方法や通信に使用するプロトコルも携帯端末１のカード接続部１２と同一のものを使用する。このようにすることで、ＳＩＭカード２に変更を加えることなしに、ＳＩＭカード２を親機３に装着することができる。
【００４４】
［２．１．２  子機４の構成］
図５は、子機４の構成を示すブロック図である。子機４は、携帯端末接続部４１と、無線接続部４２と、制御部４３と、記憶部４４とを備えている。
【００４５】
携帯端末接続部４１は、携帯端末１との間で有線接続するための接続部であり、その接続を使用して通信を行う。無線接続部４２は、親機３との間で、無線通信による接続を確立するための接続部であり、その接続を使用して通信を行う。
【００４６】
制御部４３は、子機４内の各機能を制御する。記憶部４４は、各種データを記憶している。
【００４７】
子機４の記憶部４４には、ＳＩＭカード２の記憶部２３と同様に、ＳＩＭ情報が記憶されている。
【００４８】
子機４の形状は、ＳＩＭカード２の形状と同一であり、携帯端末接続部４１の形状も、ＳＩＭカード２の携帯端末接続部２１の形状と同一である。また、有線接続による接続方法や通信に使用するプロトコルも、ＳＩＭカード２の携帯端末接続部２１と同一のものを使用する。このようにすることで、携帯端末１に変更を加えることなしに、子機４を携帯端末１に装着することができる。
【００４９】
［２．２  ユーザが１つの携帯端末で複数のＳＩＭ情報を切り替えて使用する場合の動作］
第１実施形態に係るサービス利用システムの動作として、ユーザが１つの携帯端末１で複数のＳＩＭ情報を切り替えて使用する場合について、図６、７を用いて説明する。
【００５０】
［２．２．１  ユーザが１つの携帯端末で複数のＳＩＭ情報を切り替えて使用する場合の動作（その１）］
図６は、携帯端末１が、使用するＳＩＭ情報を、子機４内のＳＩＭ情報から、親機３側のＳＩＭ情報（ＳＩＭカード２内のＳＩＭカード）に切り替えるときのシーケンスを示す図である。
【００５１】
携帯端末１は、ＳＩＭカード２の代わりに子機４が装着されていても、ＳＩＭカード２が装着されている場合と区別することができない。そのため、携帯端末１の制御部１３は、カード接続部１２を介して、子機４に対して電源の供給を開始する（ステップＳ２０１）。
【００５２】
子機４の制御部４３は、携帯端末１から携帯端末接続部４１を介して電源供給を受ける。このとき、子機４の制御部４３は、携帯端末１に対して、通信パラメータの通知を行う（ステップＳ２０２）。ステップＳ２０２において、通信パラメータの通知として、子機４から携帯端末１への一方向の通信を１回行っているが、双方向の通信を行ってもよいし、複数回の通信を行ってもよい。
【００５３】
その後、携帯端末１の制御部１３は、カード接続部１２を介して子機４にＳＩＭ情報取得要求を行う（ステップＳ２０３）。
【００５４】
子機４の制御部４３は、無線によって親機３と接続されていない状態で、携帯端末１から携帯端末接続部４１を介してＳＩＭ情報取得要求を受ける。このとき、子機４の制御部４３は、ＳＩＭ情報取得要求に応じて、記憶部４４からＳＩＭ情報（例えば、ＩＭＳＩ、ＰＩＮコード、位置情報、認証情報、パスワード）を取り出し、携帯端末１に対してＳＩＭ情報（子機４内のＳＩＭ情報）を通知する（ステップＳ２０４）。
【００５５】
ステップＳ２０４において、携帯端末１の制御部１３は、カード接続部１２を介してＳＩＭ情報（子機４内のＳＩＭ情報）を受け取り、そのＳＩＭ情報を記憶部１４に記憶する。また、ステップＳ２０３〜Ｓ２０４は必要な回数だけ繰り返される。携帯端末１の制御部１３は、携帯電話サービスを利用するために必要な情報として、ＳＩＭ情報（子機４内のＳＩＭ情報）を取得した後、サービス接続部１１を介して、子機４内のＳＩＭ情報を使用した携帯電話サービスの利用を開始する（ステップＳ２０５）。ステップＳ２０５において、携帯端末１の制御部１３は、子機４内のＳＩＭ情報を使用した携帯電話サービスを利用開始した後に、追加のＳＩＭ情報（例えば、位置情報）が必要となった場合には、再度、ＳＩＭ情報取得要求を行ってもよい。
【００５６】
一方では、親機３の制御部３３は、カード接続部３２を介して、ＳＩＭカード２に対して電源の供給を開始する（ステップＳ２０６）。
【００５７】
ＳＩＭカード２は、携帯端末１ではなく親機３に装着されていても、携帯端末１に装着されている場合と区別することができない。このため、ＳＩＭカード２の制御部２２は、親機３から携帯端末接続部２１を介して電源供給を受けると、親機３に対して、通信パラメータの通知を行う（ステップＳ２０７）。ステップＳ２０７において、通信パラメータの通知として、ＳＩＭカード２から親機３への一方向の通信を１回行っているが、双方向の通信を行ってもよいし、複数回の通信を行ってもよい。
【００５８】
ユーザが、親機３の操作部３５を使用して、子機４に対する無線接続を指示する。このとき、親機３の制御部３３は、無線接続部３１を介して、子機４に対して無線接続を行う（ステップＳ２０８）。
【００５９】
子機４の制御部４３は、無線接続部４２を介して親機３との無線接続を開始した場合、携帯端末接続部４１を介して携帯端末１にＳＩＭ情報リセット要求を送信する。すなわち、子機４の制御部４３は、携帯端末接続部４１を介して、子機４内のＳＩＭ情報のリセットを携帯端末１に要求する（ステップＳ２０９）。ステップＳ２０９において、ＳＩＭ情報リセット要求として、子機４から携帯端末１への一方向の通信を１回行っているが、双方向の通信を行ってもよいし、複数回の通信を行ってもよい。
【００６０】
携帯端末１の制御部１３は、子機４からカード接続部１２を介してＳＩＭ情報リセット要求を受ける。このとき、携帯端末１の制御部１３は、ＳＩＭ情報リセット要求に応じて、記憶部１４に記憶されているＳＩＭ情報（子機４内のＳＩＭ情報）を消去する。この場合、携帯端末１の制御部１３は、子機４内のＳＩＭ情報を使用した携帯電話サービスの利用を終了する（ステップＳ２１０）。
【００６１】
その後、携帯端末１の制御部１３は、カード接続部１２を介して子機４にリセット完了信号を送信する（ステップＳ２１１）。ステップＳ２１１において、リセット完了信号の送信として、携帯端末１から子機４への一方向の通信を１回行っているが、双方向の通信を行ってもよいし、複数回の通信を行ってもよい。
【００６２】
子機４の携帯端末接続部４１は、リセット完了信号を受信する。このとき、子機４の携帯端末接続部４１は、電源供給が開始された場合と同様に、携帯端末１に対して、通信パラメータの通知を行う（ステップＳ２１２）。ステップＳ２１２において、通信パラメータの通知として、子機４から携帯端末１への一方向の通信を１回行っているが、双方向の通信を行ってもよいし、複数回の通信を行ってもよい。
【００６３】
その後、携帯端末１の制御部１３は、カード接続部１２を介して子機４にＳＩＭ情報取得要求を行う（ステップＳ２１３）。
【００６４】
子機４の制御部４３は、無線によって親機３と接続されている状態で、携帯端末１から携帯端末接続部４１を介してＳＩＭ情報取得要求を受ける。この状態において、子機４の制御部４３は、無線接続部４２を介して親機３にＳＩＭ情報取得要求を行う（ステップＳ２１４）。
【００６５】
親機３の制御部３３は、無線によって子機４と接続されている状態で、子機４から無線接続部３１を介して情報取得要求を受ける。この状態において、親機３の制御部３３は、カード接続部３２を介してＳＩＭカード２に情報取得要求を行う（ステップＳ２１５）。
【００６６】
ＳＩＭカード２の制御部２２は、親機３から携帯端末接続部２１を介して情報取得要求を受ける。このとき、ＳＩＭカード２の制御部２２は、記憶部２３からＳＩＭ情報（例えば、ＩＭＳＩ、ＰＩＮコード、位置情報、認証情報、パスワード）を取り出し、親機３に対してＳＩＭ情報を通知する（ステップＳ２１６）。
【００６７】
親機３の制御部３３は、無線によって子機４と接続されている状態で、ＳＩＭカード２からカード接続部３２を介してＳＩＭ情報の通知を受ける。この状態において、親機３の制御部３３は、無線接続部３１を介して子機４にＳＩＭ情報（親機側のＳＩＭ情報）を通知する（ステップＳ２１７）。
【００６８】
子機４の制御部４３は、無線によって親機３と接続されている状態で、無線接続部４２を介して情報通知を受ける。この状態において、子機４の制御部４３は、携帯端末接続部４１を介して携帯端末１にＳＩＭ情報（親機側のＳＩＭ情報）を通知する（ステップＳ２１８）。
【００６９】
ステップＳ２１８において、携帯端末１の制御部１３は、子機４からカード接続部１２を介してＳＩＭ情報（親機側のＳＩＭ情報）を受け取り、そのＳＩＭ情報を記憶部１４に記憶する。また、ステップＳ２１３〜Ｓ２１８は必要な回数だけ繰り返される。携帯端末１の制御部１３は、携帯電話サービスを利用するために必要な情報として、親機側のＳＩＭ情報を取得した後、サービス接続部１１を介して、親機側のＳＩＭ情報を使用した携帯電話サービスの利用を開始する（ステップＳ２１９）。ステップＳ２１９において、携帯端末１の制御部１３は、親機側のＳＩＭ情報を使用した携帯電話サービスを利用開始した後に、追加のＳＩＭ情報（例えば、位置情報）が必要となった場合には、再度、ＳＩＭ情報取得要求を行ってもよい。
【００７０】
［２．２．２  ユーザが１つの携帯端末で複数のＳＩＭ情報を切り替えて使用する場合の動作（その２）］
図７は、携帯端末１が、使用するＳＩＭ情報を、親機３側のＳＩＭ情報（ＳＩＭカード２内のＳＩＭ情報）から、子機４内のＳＩＭ情報に切り替えるときのシーケンスを示す図である。
【００７１】
ステップＳ２１９において、携帯端末１の制御部１３は、携帯電話サービスを利用するために必要な情報として、親機側のＳＩＭ情報を取得した後、サービス接続部１１を介して、親機側のＳＩＭ情報を使用した携帯電話サービスの利用を開始する。
【００７２】
携帯端末１が親機側のＳＩＭ情報を使用した携帯電話サービスを利用している状態において、ユーザが、親機３の操作部３５を使用して、子機４に対する無線接続の終了を指示する。このとき、親機３の制御部３３は、無線接続部３１を介して、子機４に対して無線接続を切断する（ステップＳ２２０）。
【００７３】
子機４の制御部４３は、無線接続部４２を介して親機３との無線接続が切断された場合、携帯端末接続部４１を介して携帯端末１にＳＩＭ情報リセット要求を送信する。すなわち、子機４の制御部４３は、携帯端末接続部４１を介して、親機側のＳＩＭ情報のリセットを携帯端末１に要求する（ステップＳ２２１）。ステップＳ２２１において、ＳＩＭ情報リセット要求として、子機４から携帯端末１への一方向の通信を１回行っているが、双方向の通信を行ってもよいし、複数回の通信を行ってもよい。
【００７４】
携帯端末１の制御部１３は、子機４からカード接続部１２を介してＳＩＭ情報リセット要求を受ける。このとき、携帯端末１の制御部１３は、ＳＩＭ情報リセット要求に応じて、記憶部１４に記憶されているＳＩＭ情報（親機側のＳＩＭ情報）を消去する。この場合、携帯端末１の制御部１３は、親機側のＳＩＭ情報を使用した携帯電話サービスの利用を終了する（ステップＳ２２２）。
【００７５】
その後、携帯端末１の制御部１３は、カード接続部１２を介して子機４にリセット完了信号を送信する（ステップＳ２２３）。ステップＳ２２３において、リセット完了信号の送信として、携帯端末１から子機４への一方向の通信を１回行っているが、双方向の通信を行ってもよいし、複数回の通信を行ってもよい。
【００７６】
子機４の携帯端末接続部４１は、リセット完了信号を受信する。このとき、子機４の携帯端末接続部４１は、電源供給が開始された場合と同様に、携帯端末１に対して、通信パラメータの通知を行う（ステップＳ２２４）。ステップＳ２２４において、通信パラメータの通知として、子機４から携帯端末１への一方向の通信を１回行っているが、双方向の通信を行ってもよいし、複数回の通信を行ってもよい。
【００７７】
その後、携帯端末１の制御部１３は、カード接続部１２を介して子機４にＳＩＭ情報取得要求を行う（ステップＳ２２５）。
【００７８】
ＳＩＭカード２の制御部２２は、携帯端末１から携帯端末接続部２１を介してＳＩＭ情報取得要求を受ける。このとき、ＳＩＭカード２の制御部２２は、ＳＩＭ情報取得要求に応じて、記憶部２３からＳＩＭ情報を取り出し、携帯端末１に対してＳＩＭ情報（子機４内のＳＩＭ情報）を通知する（ステップＳ２２６）。
【００７９】
ステップＳ２２６において、携帯端末１の制御部１３は、カード接続部１２を介してＳＩＭ情報（子機４内のＳＩＭ情報）を受け取り、そのＳＩＭ情報を記憶部１４に記憶する。また、ステップＳ２２５〜Ｓ２２６は必要な回数だけ繰り返される。携帯端末１の制御部１３は、携帯電話サービスを利用するために必要な情報として、ＳＩＭ情報（子機４内のＳＩＭ情報）を取得した後、サービス接続部１１を介して、子機４内のＳＩＭ情報を使用した携帯電話サービスの利用を開始する（ステップＳ２２７）。
【００８０】
以上の説明により、第１実施形態に係るサービス利用システムは、第１の利用必須情報（ＳＩＭ情報）、または、第１の利用必須情報（子機４内のＳＩＭ情報）とは異なる第２の利用必須情報（ＳＩＭ情報）を使用したサービス（携帯電話サービス）を利用するサービス利用装置（携帯端末１）と、第２の利用必須情報（ＳＩＭ情報）が記憶された加入者カード（ＳＩＭカード２）と、加入者カード（ＳＩＭカード２）が設けられた外部装置（親機３）と、加入者カード代替物（子機４）と、を具備している。加入者カード代替物（子機４）は、加入者カード（ＳＩＭカード２）と同一形状である。
【００８１】
第１実施形態に係るサービス利用システムにおいて、加入者カード代替物（子機４）は、サービス利用装置（携帯端末１）と接続するための第１の接続部（携帯端末接続部４１）と、第１の利用必須情報（ＳＩＭ情報）を記憶する記憶部４４と、外部装置（親機３）と無線接続するための第２の接続部（無線接続部４２）と、外部装置（親機３）と第２の接続部（無線接続部４２）との無線接続が確立されていない場合、第１の利用必須情報（ＳＩＭ情報）をサービス利用装置（携帯端末１）に通知し、外部装置（親機３）と第２の接続部（無線接続部４２）との無線接続が確立された場合、第２の利用必須情報（親機３側のＳＩＭ情報）をサービス利用装置（携帯端末１）に通知する制御部４３と、を具備している。
具体的には、加入者カード代替物（子機４）の制御部４３は、外部装置（親機３）と第２の接続部（無線接続部４２）との無線接続が確立されていない状態においてサービス利用装置（携帯端末１）から送信される情報取得要求（ＳＩＭ情報取得要求）を受け取った場合、記憶部４４に記憶されている第１の利用必須情報（ＳＩＭ情報）をサービス利用装置（携帯端末１）に通知する。また、加入者カード代替物（子機４）の制御部４３は、外部装置（親機３）と第２の接続部（無線接続部４２）との無線接続が確立された場合、サービス利用装置（携帯端末１）の記憶部１４に記憶されている第１の利用必須情報（子機４内のＳＩＭ情報）を消去するためのリセット要求（ＳＩＭ情報リセット要求）をサービス利用装置（携帯端末１）に送信する。また、加入者カード代替物（子機４）の制御部４３は、外部装置（親機３）と第２の接続部（無線接続部４２）との無線接続が確立されている状態においてサービス利用装置（携帯端末１）から送信される情報取得要求（ＳＩＭ情報取得要求）を受け取った場合、外部装置（親機３）からの第２の利用必須情報（親機３側のＳＩＭ情報）をサービス利用装置（携帯端末１）に通知する。
【００８２】
第１実施形態に係るサービス利用システムにおいて、サービス利用装置（携帯端末１）は、加入者カード代替物（子機４）と接続するための第１の接続部（カード接続部１２）と、サービス（携帯電話サービス）を提供するネットワーク（携帯電話ネットワーク）と接続するための第２の接続部（サービス接続部１１）と、外部装置（親機３）と加入者カード代替物（子機４）との無線接続が確立されていない場合、第１の利用必須情報（子機４内のＳＩＭ情報）を使用したサービス（携帯電話サービス）を利用し、外部装置（親機３）と加入者カード代替物（子機４）との無線接続が確立された場合、第２の利用必須情報（親機３側のＳＩＭ情報）を使用したサービス（携帯電話サービス）を利用する制御部１３と、記憶部１４と、を具備している。
具体的には、サービス利用装置（携帯端末１）の制御部１３は、外部装置（親機３）と加入者カード代替物（子機４）との無線接続が確立されていない状態において加入者カード代替物（子機４）から通知される第１の利用必須情報（子機４内のＳＩＭ情報）を記憶部１４に記憶し、記憶部１４に記憶されている第１の利用必須情報（子機４内のＳＩＭ情報）を使用したサービス（携帯電話サービス）を利用する。また、サービス利用装置（携帯端末１）の制御部１３は、外部装置（親機３）と加入者カード代替物（子機４）との無線接続が確立されたときに加入者カード代替物（子機４）から送信されるリセット要求（ＳＩＭ情報リセット要求）を受け取った場合、記憶部１４に記憶されている第１の利用必須情報（子機４内のＳＩＭ情報）を消去すると共に、第１の利用必須情報（子機４内のＳＩＭ情報）を使用したサービス（携帯電話サービス）の利用を終了する。また、サービス利用装置（携帯端末１）の制御部１３は、外部装置（親機３）と加入者カード代替物（子機４）との無線接続が確立された状態において加入者カード代替物（子機４）から通知される第２の利用必須情報（親機３側のＳＩＭ情報）を記憶部１４に記憶し、記憶部１４に記憶されている第２の利用必須情報（親機３側のＳＩＭ情報）を使用したサービス（携帯電話サービス）を利用する。
【００８３】
このように、第１実施形態に係るサービス利用システムでは、ユーザが、サービス利用装置（携帯端末１）とは別に外部装置（親機３）を常に携帯することなく、同一のサービス利用装置（携帯端末１）で、サービス（携帯電話サービス）を利用するために必要な情報である複数の利用者必須情報（複数のＳＩＭ情報）を切り替えて使用することができる。
【００８４】
［第２実施形態］
第２実施形態に係るサービス利用システムでは、ユーザが１つの携帯端末１で複数のＳＩＭ情報を切り替えて使用する場合において、以下のような手順となる。
・初期状態では、子機４内のＳＩＭ情報を使用して携帯電話サービスを利用する。
・子機４と親機３との無線接続が確立されたときに、携帯端末１は、使用するＳＩＭ情報を、子機４内のＳＩＭ情報と、親機側のＳＩＭ情報（ＳＩＭカード２内のＳＩＭカード）との一方をユーザに選択させる。すなわち、子機４と親機３との無線接続が確立された状態では、使用するＳＩＭ情報は、ユーザが選択したＳＩＭ情報に切り替えられる。
・子機４内のＳＩＭ情報が選択された場合には、携帯端末１は、子機４と親機３との無線接続が確立された状態であっても、子機４内のＳＩＭ情報を使用する。
【００８５】
図８は、第２実施形態に係るサービス利用システムの動作として、ユーザが１つの携帯端末１で複数のＳＩＭ情報を切り替えて使用する場合について説明するための図であり、子機４内のＳＩＭ情報から、親機３側のＳＩＭ情報（ＳＩＭカード２内のＳＩＭ情報）に切り替えるときのシーケンス（ダイアログありの場合）を示す図である。図９、１０は、図８のステップＳ３０７を説明するための図である。
【００８６】
例えば、第１実施形態のステップＳ２０１〜Ｓ２０５（図６）が実行される。これにより、携帯端末１の制御部１３は、サービス接続部１１を介して、子機４内のＳＩＭ情報を使用した携帯電話サービスの利用を開始する（ステップＳ３０１）。
【００８７】
一方では、親機３の制御部３３は、カード接続部３２を介して、ＳＩＭカード２に対して電源の供給を開始する（ステップＳ３０２）。
【００８８】
ＳＩＭカード２は、携帯端末１ではなく親機３に装着されていても、携帯端末１に装着されている場合と区別することができない。このため、第１実施形態のステップＳ２０７（図６）と同様に、ＳＩＭカード２の制御部２２は、親機３から携帯端末接続部２１を介して電源供給を受けると、親機３に対して、通信パラメータの通知を行う（ステップＳ３０３）。
【００８９】
ユーザが、親機３の操作部３５を使用して、子機４に対する無線接続を指示する。このとき、親機３の制御部３３は、無線接続部３１を介して、子機４に対して無線接続を行う（ステップＳ３０４）。
【００９０】
子機４の制御部４３は、無線接続部４２を介して親機３との無線接続を開始した場合、携帯端末接続部４１を介して携帯端末１に無線接続実行通知を送信する。すなわち、子機４の制御部４３は、携帯端末接続部４１を介して、子機４と親機３との無線接続が行われたことを携帯端末１に通知する（ステップＳ３０５）。ステップＳ３０５において、無線接続実行通知として、子機４から携帯端末１への一方向の通信を１回行っているが、双方向の通信を行ってもよいし、複数回の通信を行ってもよい。
【００９１】
携帯端末１の制御部１３は、子機４からカード接続部１２を介して無線接続実行通知を受ける。このとき、携帯端末１の制御部１３は、無線接続実行通知に応じて、図９に示すような画面としてダイアログ１００を表示部１６に表示する（ステップＳ３０６）。
【００９２】
ダイアログ１００は、携帯端末１が使用するＳＩＭ情報を、子機４内のＳＩＭ情報から、親機側のＳＩＭ情報（ＳＩＭカード２内のＳＩＭカード）に切り替えるか否かを文字により通知する通知欄１０１と、ユーザが子機４内のＳＩＭ情報から親機側のＳＩＭ情報に切り替えたい場合に選択される「はい」ボタン１０２と、ユーザが子機４内のＳＩＭ情報から親機側のＳＩＭ情報に切り替えない場合に選択される「いいえ」ボタン１０３と、を含んでいる。
【００９３】
ユーザがダイアログ１００の「はい」ボタン１０２を選択した場合（ステップＳ３０７）、携帯端末１の制御部１３は、記憶部１４に記憶されているＳＩＭ情報（子機４内のＳＩＭ情報）を消去する。この場合、携帯端末１の制御部１３は、子機４内のＳＩＭ情報を使用した携帯電話サービスの利用を終了する（ステップＳ３０８）。
【００９４】
その後、携帯端末１の制御部１３は、カード接続部１２を介して子機４にリセット完了信号を送信する（ステップＳ３０９）。
【００９５】
子機４の携帯端末接続部４１は、リセット完了信号を受信する。このとき、子機４の携帯端末接続部４１は、電源供給が開始された場合と同様に、携帯端末１に対して、通信パラメータの通知を行う（ステップＳ３１０）。
【００９６】
その後、携帯端末１の制御部１３は、カード接続部１２を介して子機４にＳＩＭ情報取得要求を行う（ステップＳ３１１）。
【００９７】
子機４の制御部４３は、無線によって親機３と接続されている状態で、携帯端末１から携帯端末接続部４１を介してＳＩＭ情報取得要求を受ける。この状態において、子機４の制御部４３は、無線接続部４２を介して親機３にＳＩＭ情報取得要求を行う（ステップＳ３１２）。
【００９８】
親機３の制御部３３は、無線によって子機４と接続されている状態で、子機４から無線接続部３１を介して情報取得要求を受ける。この状態において、親機３の制御部３３は、カード接続部３２を介してＳＩＭカード２に情報取得要求を行う（ステップＳ３１３）。
【００９９】
ＳＩＭカード２の制御部２２は、親機３から携帯端末接続部２１を介して情報取得要求を受ける。このとき、ＳＩＭカード２の制御部２２は、記憶部２３からＳＩＭ情報を取り出し、親機３に対してＳＩＭ情報を通知する（ステップＳ３１４）。
【０１００】
親機３の制御部３３は、無線によって子機４と接続されている状態で、ＳＩＭカード２からカード接続部３２を介してＳＩＭ情報の通知を受ける。この状態において、親機３の制御部３３は、無線接続部３１を介して子機４にＳＩＭ情報（親機側のＳＩＭ情報）を通知する（ステップＳ３１５）。
【０１０１】
子機４の制御部４３は、無線によって親機３と接続されている状態で、無線接続部４２を介して情報通知を受ける。この状態において、子機４の制御部４３は、携帯端末接続部４１を介して携帯端末１にＳＩＭ情報（親機側のＳＩＭ情報）を通知する（ステップＳ３１６）。
【０１０２】
ステップＳ３１６において、携帯端末１の制御部１３は、子機４からカード接続部１２を介してＳＩＭ情報（親機側のＳＩＭ情報）を受け取り、そのＳＩＭ情報を記憶部１４に記憶する。また、ステップＳ３１１〜Ｓ３１６は必要な回数だけ繰り返される。携帯端末１の制御部１３は、携帯電話サービスを利用するために必要な情報として、親機側のＳＩＭ情報を取得した後、サービス接続部１１を介して、親機側のＳＩＭ情報を使用した携帯電話サービスの利用を開始する（ステップＳ３１７）。
【０１０３】
一方、ユーザがダイアログ１００の「いいえ」ボタン１０３を選択した場合、携帯端末１の制御部１３は、ステップＳ３０８以降の処理を実行しないで、子機４内のＳＩＭ情報を使用した携帯電話サービスの利用を継続する。この場合でも、ユーザは、携帯端末１の操作により、携帯端末１が使用するＳＩＭ情報を、子機４内のＳＩＭ情報から、親機側のＳＩＭ情報（ＳＩＭカード２内のＳＩＭカード）に切り替えることができる。例えば、携帯端末１の制御部１３は、ユーザの操作により、設定メニューから、図１０に示すような画面としてダイアログ２００を表示部１６に表示する。
【０１０４】
ダイアログ２００は、携帯端末１が使用するＳＩＭ情報として、子機４内のＳＩＭ情報を選択するための選択欄２０１と、親機側のＳＩＭ情報（ＳＩＭカード２内のＳＩＭカード）を選択するための選択欄２０２と、ユーザが選択したＳＩＭ情報に決定するための「ＯＫ」ボタン２０３と、現在のＳＩＭ情報に決定するための「キャンセル」ボタン２０４と、を含んでいる。
【０１０５】
例えば、ダイアログ２００の選択欄２０１が選択された状態に対して、ユーザがダイアログ２００の選択欄２０２を選択して「ＯＫ」ボタン２０３を選択した場合、携帯端末１の制御部１３は、ステップＳ３０８以降の処理を実行して、親機側のＳＩＭ情報を使用した携帯電話サービスの利用を開始する。
【０１０６】
一方、ダイアログ２００の選択欄２０１が選択された状態に対して、ユーザがダイアログ２００の「ＯＫ」ボタン２０３または「キャンセル」ボタン２０４を選択した場合、携帯端末１の制御部１３は、ステップＳ３０８以降の処理を実行しないで、子機４内のＳＩＭ情報を使用した携帯電話サービスの利用を継続する。
【０１０７】
以上の説明により、第２実施形態に係るサービス利用システムは、第１の利用必須情報（ＳＩＭ情報）、または、第１の利用必須情報（子機４内のＳＩＭ情報）とは異なる第２の利用必須情報（ＳＩＭ情報）を使用したサービス（携帯電話サービス）を利用するサービス利用装置（携帯端末１）と、第２の利用必須情報（ＳＩＭ情報）が記憶された加入者カード（ＳＩＭカード２）と、加入者カード（ＳＩＭカード２）が設けられた外部装置（親機３）と、加入者カード代替物（子機４）と、を具備している。加入者カード代替物（子機４）は、加入者カード（ＳＩＭカード２）と同一形状である。
【０１０８】
第２実施形態に係るサービス利用システムにおいて、加入者カード代替物（子機４）は、サービス利用装置（携帯端末１）と接続するための第１の接続部（携帯端末接続部４１）と、第１の利用必須情報（ＳＩＭ情報）を記憶する記憶部４４と、外部装置（親機３）と無線接続するための第２の接続部（無線接続部４２）と、外部装置（親機３）と第２の接続部（無線接続部４２）との無線接続が確立されていない場合、第１の利用必須情報（ＳＩＭ情報）をサービス利用装置（携帯端末１）に通知し、外部装置（親機３）と第２の接続部（無線接続部４２）との無線接続が確立された場合、第２の利用必須情報（親機３側のＳＩＭ情報）をサービス利用装置（携帯端末１）に通知する制御部４３と、を具備している。
具体的には、加入者カード代替物（子機４）の制御部４３は、外部装置（親機３）と第２の接続部（無線接続部４２）との無線接続が確立されていない状態においてサービス利用装置（携帯端末１）から送信される情報取得要求（ＳＩＭ情報取得要求）を受け取った場合、記憶部４４に記憶されている第１の利用必須情報（ＳＩＭ情報）をサービス利用装置（携帯端末１）に通知する。また、加入者カード代替物（子機４）の制御部４３は、外部装置（親機３）と第２の接続部（無線接続部４２）との無線接続が確立されたときに無線接続実行通知をサービス利用装置（携帯端末１）に送信する。また、加入者カード代替物（子機４）の制御部４３は、外部装置（親機３）と第２の接続部（無線接続部４２）との無線接続が確立されている状態においてサービス利用装置（携帯端末１）から送信される情報取得要求（ＳＩＭ情報取得要求）を受け取った場合、外部装置（親機３）からの第２の利用必須情報（親機３側のＳＩＭ情報）をサービス利用装置（携帯端末１）に通知する。
【０１０９】
第２実施形態に係るサービス利用システムにおいて、サービス利用装置（携帯端末１）は、加入者カード代替物（子機４）と接続するための第１の接続部（カード接続部１２）と、サービス（携帯電話サービス）を提供するネットワーク（携帯電話ネットワーク）と接続するための第２の接続部（サービス接続部１１）と、外部装置（親機３）と加入者カード代替物（子機４）との無線接続が確立されていない場合、第１の利用必須情報（子機４内のＳＩＭ情報）を使用したサービス（携帯電話サービス）を利用し、外部装置（親機３）と加入者カード代替物（子機４）との無線接続が確立された場合、第２の利用必須情報（親機３側のＳＩＭ情報）を使用したサービス（携帯電話サービス）を利用する制御部１３と、表示部１６と、記憶部１４と、を具備している。
具体的には、サービス利用装置（携帯端末１）の制御部１３は、外部装置（親機３）と加入者カード代替物（子機４）との無線接続が確立されていない状態において加入者カード代替物（子機４）から通知される第１の利用必須情報（子機４内のＳＩＭ情報）を記憶部１４に記憶し、記憶部１４に記憶されている第１の利用必須情報（子機４内のＳＩＭ情報）を使用したサービス（携帯電話サービス）を利用する。また、サービス利用装置（携帯端末１）の制御部１３は、外部装置（親機３）と加入者カード代替物（子機４）との無線接続が確立されたときに加入者カード代替物（子機４）から通知される無線接続実行通知を受け取った場合、第１の利用必須情報（子機４内のＳＩＭ情報）と第２の利用必須情報（親機３側のＳＩＭ情報）との一方をユーザに選択させるための画面（ダイアログ１００またはダイアログ２００）を表示部１６に表示する。また、サービス利用装置（携帯端末１）の制御部１３は、選択された利用必須情報（ＳＩＭ情報）が第２の利用必須情報（親機３側のＳＩＭ情報）である場合、記憶部１４に記憶されている第１の利用必須情報（子機４内のＳＩＭ情報）を消去すると共に、第１の利用必須情報（子機４内のＳＩＭ情報）を使用したサービス（携帯電話サービス）の利用を終了する。また、サービス利用装置（携帯端末１）の制御部１３は、外部装置（親機３）と加入者カード代替物（子機４）との無線接続が確立された状態において加入者カード代替物（子機４）から通知される第２の利用必須情報（親機３側のＳＩＭ情報）を記憶部１４に記憶し、記憶部１４に記憶されている第２の利用必須情報（親機３側のＳＩＭ情報）を使用したサービス（携帯電話サービス）を利用する。
【０１１０】
このように、第２実施形態に係るサービス利用システムでは、ユーザが、サービス利用装置（携帯端末１）とは別に外部装置（親機３）を常に携帯することなく、同一のサービス利用装置（携帯端末１）で、サービス（携帯電話サービス）を利用するために必要な情報である複数の利用者必須情報（複数のＳＩＭ情報）を切り替えて使用することができる。
【０１１１】
以上、本実施形態について詳述してきたが、具体的な構成は実施形態に限られるものではなく、この発明の要旨を逸脱しない範囲の設計等も特許請求の範囲に含まれる。
【符号の説明】
【０１１２】
１  …  携帯端末（サービス利用装置）
２  …  ＳＩＭカード（加入者カード）
３  …  親機（外部装置）
４  …  子機（加入者カード代替物）
１１  …  サービス接続部
１２  …  カード接続部
１３  …  制御部
１４  …  記憶部
１５  …  操作部
１６  …  表示部
２１  …  携帯端末接続部
２２  …  制御部
２３  …  記憶部
３１  …  無線接続部
３２  …  カード接続部
３３  …  制御部
３４  …  記憶部
３５  …  操作部
３６  …  表示部
４１  …  携帯端末接続部
４２  …  無線接続部
４３  …  制御部
４４  …  記憶部
１００  …  ダイアログ
１０１  …  通知欄
１０２  …  ボタン
１０３  …  ボタン
２００  …  ダイアログ
２０１  …  選択欄
２０２  …  選択欄
２０３  …  ボタン
２０４  …  ボタン
【図１】
0006644136.tif 000002
【図２】
0006644136.tif 000003
【図３】
0006644136.tif 000004
【図４】
0006644136.tif 000005
【図５】
0006644136.tif 000006
【図６】
0006644136.tif 000007
【図７】
0006644136.tif 000008
【図８】
0006644136.tif 000009
【図９】
0006644136.tif 000010
【図１０】
0006644136.tif 000011